(57)【要約】【課題】  発光素子を異なる２つの発光方式で制御可能な発光制御装置を提供する。【解決手段】  発光モジュール３００は、異なる３色のＬＥＤを１つの発光ユニット３０ａ〜ｃとし、３個の発光ユニットを含む。発光駆動部１０は、発光ユニット３０ごとに設けられ、当該発光ユニットに含まれる異なる３色のＬＥＤのいずれかひとつを所望の輝度で発光させる。発光制御部２０は、発光駆動部１０それぞれに対し、ＬＥＤの発光状態を指示する。発光制御部２０は、第１モードにおいて、ひとつの発光ユニットに含まれる３色のＬＥＤを時分割的に発光させ、かつ異なる発光ユニットに含まれる同色の発光素子が同じタイミングで発光するよう制御する。第２モードにおいて、それぞれが異なる発光ユニット３０に含まれる３色のＬＥＤを同時に発光させ、異なる発光ユニットに含まれる３色のＬＥＤを混色する。【選択図】  図１
2006278252.tif 000002
【特許請求の範囲】
【請求項１】
異なるｎ色（ｎは２以上の整数）の発光素子を１つの発光ユニットとし、ｍ個（ｍは２以上の整数）の発光ユニットを含む発光モジュールの発光パターンを制御する発光制御装置であって、
前記発光ユニットごとに設けられ、当該発光ユニットに含まれる異なるｎ色の発光素子を独立して発光させる発光駆動部と、
前記発光駆動部それぞれに対し、当該発光駆動部が駆動を担当する発光ユニットに含まれる発光素子のいずれを発光させるかを制御する発光制御部と、を備え、
前記発光制御部は、
ひとつの発光ユニットに含まれるｎ色の発光素子を時分割的に発光させ、かつ異なる発光ユニットに含まれる同色の発光素子が同じタイミングで発光するよう制御する第１モードと、それぞれが異なる発光ユニットに含まれるｎ色の発光素子を同時に発光させる第２モードと、を有することを特徴とする発光制御装置。
【請求項２】
前記発光制御部は、前記発光モジュールを発光装置として使用するとき、前記第１モードにて前記発光駆動部を制御することを特徴とする請求項１に記載の発光制御装置。
【請求項３】
前記発光制御部は、前記発光素子の発光輝度を調節するとき、前記第２モードにて前記発光駆動部を制御することを特徴とする請求項１に記載の発光制御装置。
【請求項４】
前記発光制御部は、
第１モードにおける各発光素子の発光状態を規定する第１発光パターンを生成する第１発光パターン生成部と、
第２モードにおける各発光素子の発光状態を規定する第２発光パターンを生成する第２発光パターン生成部と、
前記第１発光パターンと前記第２発光パターンのいずれかに応じて前記発光駆動部を制御する発光パターン制御部と、
を含むことを特徴とする請求項1に記載の発光制御装置。
【請求項５】
前記発光駆動部は、
定電流回路と、
前記定電流回路と、当該発光駆動部に接続される発光ユニットに含まれるｎ色の発光素子の間に設けられたｎ個のスイッチと、
を含むことを特徴とする請求項１から３のいずれかに記載の発光制御装置。
【請求項６】
赤、緑、青３色の発光素子を１つの発光ユニットとし、複数の発光ユニットを含む発光モジュールと、
前記発光モジュールに駆動電圧を供給する駆動電圧生成部と、
前記発光モジュールの発光パターンを制御する請求項１から５のいずれかに記載の発光制御装置と、
を備えることを特徴とする発光装置。
【請求項７】
前記発光モジュールは、複数配列されて発光パネルを形成することを特徴とする請求項６に記載の発光装置。
【請求項８】
前記発光モジュールがマトリクス状に複数配列される請求項６に記載の発光装置を画像表示パネルとして備えることを特徴とする画像表示装置。
【請求項９】
画像表示パネルと、
前記画像表示パネルのバックライトとして用いられる請求項６に記載の発光装置と、
を備えることを特徴とする画像表示装置。
【発明の詳細な説明】
【技術分野】
【０００１】
本発明は、発光素子の発光制御技術に関する。
【背景技術】
【０００２】
近年の携帯電話、ＰＤＡ（Ｐｅｒｓｏｎａｌ  Ｄｉｇｉｔａｌ  Ａｓｓｉｓｔａｎｃｅ）、等の小型情報端末には、例えば液晶パネルのバックライトに用いられる発光ダイオード（Ｌｉｇｈｔ  Ｅｍｉｔｔｉｎｇ  Ｄｉｏｄｅ、以下ＬＥＤという）などの発光素子が用いられる。
【０００３】
こうしたＬＥＤを駆動する際には、ＬＥＤの駆動系路上に定電流回路を接続し、あるいは抵抗を接続してその抵抗の両端の電圧が一定値となるように制御することで、ＬＥＤに流れる電流を一定に保ち、所望の発光輝度で発光させている（特許文献１）。また、特許文献２には、定電流回路を用いたＬＥＤ駆動回路であって、複数のＬＥＤを時分割して発光させる技術が開示されている。
【０００４】
ここで、ＬＥＤを液晶パネルのバックライトとして利用するには、ＲＧＢ各色に対応したＬＥＤをスイッチング電源などの昇圧回路に接続して駆動電圧を供給するとともに、各ＬＥＤに流れる電流を制御することによって、ＲＧＢ各色を所定の輝度で発光させて混色し、白色光を得ている。ＲＧＢの３色を混色する方法としては、ＲＧＢに対応する３つのＬＥＤを同時に発光させて混色する方法（以下、同時発光方式という）と、３つのＬＥＤを時分割して交互に点灯させて混色する方法（以下、フィールドシーケンシャル方式という）が考えられる。
【０００５】
【特許文献１】特開２００４−２２９２９号公報
【特許文献２】特開２００２−３１９７０７号公報
【発明の開示】
【発明が解決しようとする課題】
【０００６】
ＬＥＤを液晶のバックライトとして用いる場合、所望の白色光を得るためにホワイトバランスの調整を行う必要がある。ホワイトバランスの調整を行う場合、フィールドシーケンシャル方式によって混色された白色光ではなく、ＲＧＢ３色のＬＥＤを同時に発光させ得られる白色光にもとづいて行いたい場合があった。
【０００７】
ここで、たとえばＬＥＤをフィールドシーケンシャル方式で駆動するために、ＬＥＤ駆動回路を、特許文献２の図１に記載の回路を３つのＬＥＤに拡張して構成した場合について考える。このＬＥＤ駆動回路では、定電流回路が３つのＬＥＤに共通して設けられるため、ＲＧＢ３色のＬＥＤを同時に発光させた場合、各ＬＥＤの発光輝度を独立して調節することができないため、ホワイトバランスの調整を、ＲＧＢ３色のＬＥＤが同時に発光した状態で行うことができないという問題があった。
また、ホワイトバランスの調整時に限らず、駆動効率やその他の周辺回路との関係から、フィールドシーケンシャル方式と同時発光方式を切り替えて使用したい場合もある。
【０００８】
本発明はこうした課題に鑑みてなされたものであり、その目的は、発光素子を異なる２つの発光方式で制御可能な発光制御装置の提供にある。
【課題を解決するための手段】
【０００９】
本発明のある態様は、発光制御装置に関する。この発光制御装置は、異なるｎ色（ｎは２以上の整数）の発光素子を１つの発光ユニットとし、ｍ個（ｍは２以上の整数）の発光ユニットを含む発光モジュールの発光パターンを制御する発光制御装置であって、発光ユニットごとに設けられ、当該発光ユニットに含まれる異なるｎ色の発光素子を独立して発光させる発光駆動部と、発光駆動部それぞれに対し、当該発光駆動部が駆動を担当する発光ユニットに含まれる発光素子のいずれを発光させるかを制御する発光制御部と、を備える。発光制御部は、ひとつの発光ユニットに含まれるｎ色の発光素子を時分割的に発光させ、かつ異なる発光ユニットに含まれる同色の発光素子が同じタイミングで発光するよう制御する第１モードと、それぞれが異なる発光ユニットに含まれるｎ色の発光素子を同時に発光させる第２モードと、を有する。
【００１０】
「発光素子」とは、外部から与えられる電圧、電流によって発光するデバイスをいい、ＬＥＤや有機ＥＬ（Ｅｌｅｃｔｒｏ  Ｌｕｍｉｎｅｓｃｅｎｃｅ）素子などが含まれる。
この態様によれば、第１モードにおいては、同一の発光ユニットに含まれるｎ色の発光素子を時分割的に発光させるフィールドシーケンシャル方式で発光素子を駆動することができる。また第２モードにおいては、それぞれが異なる発光ユニットに含まれるｎ色の発光素子を同時に発光させ、所望の発光を得る同時発光方式で発光素子を制御することができる。
【００１１】
発光制御部は、発光モジュールを発光装置として使用するとき、第１モードにて発光駆動部を制御してもよい。
【００１２】
発光制御部は、発光素子の発光輝度を調節するとき、第２モードにて発光駆動部を制御してもよい。
検査時に第２モードに切り替えることによって、ホワイトバランスの調整など各発光素子に流れる電流の調節を、異なる色の発光素子を同時点灯して得られる白色光にもとづいて行うことができる。
【００１３】
発光制御部は、第１モードにおける各発光素子の発光状態を規定する第１発光パターンを生成する第１発光パターン生成部と、第２モードにおける各発光素子の発光状態を規定する第２発光パターンを生成する第２発光パターン生成部と、第１発光パターンと第２発光パターンのいずれかにもとづいて発光駆動部を制御する発光パターン制御部と、を含んでもよい。
第１モードと第２モードにおける各発光素子の発光状態をそれぞれ生成する２つの発光パターン生成部を設けることによって、所望の方式に応じてモードを切り替えることができる。
【００１４】
第１発光パターンと第２発光パターンはそれぞれレジスタに格納されていてもよい。この場合、発光制御部は、レジスタからいずれかの発光パターンを読み出すことにより、所望の方式にて発光ユニットを制御することができる。
【００１５】
発光駆動部は、定電流回路と、前記定電流回路と当該発光駆動部に接続される発光ユニットに含まれるｎ色の発光素子の間に設けられたｎ個のスイッチと、を含むと更によい。
ｎ個のスイッチのいずれかをオンすることにより、そのスイッチが接続される発光素子に定電流回路により生成される電流が流れるため、所望の発光素子のみを発光させることができる。
【００１６】
発光駆動部は、ｎ個のスイッチのオン時間とオフ時間をパルス幅変調し、あるいは定電流回路により生成される電流値を調節することにより各発光素子の発光輝度を制御してもよい。
スイッチのオン時間をパルス幅変調により調節することにより、発光素子に流れる電流の時間平均値を調節することができ、所望の発光輝度で発光させることができる。
【００１７】
ｎは３であって、ｎ色の発光素子とは、赤、緑、青３色の発光素子であってもよい。
【００１８】
本発明の別の態様は、発光装置である。この装置は、赤、緑、青３色の発光素子を１つの発光ユニットとし、複数の発光ユニットを含む発光モジュールと、発光モジュールに駆動電圧を供給する駆動電圧生成部と、発光モジュールの発光パターンを制御する上述の発光制御装置と、を備える。
【００１９】
本発明のさらに別の態様は、画像表示装置である。この画像表示装置は、発光モジュールがマトリクス状に複数配列される上記発光装置を画像表示パネルとして備える。
発光モジュールをマトリクス状に配置して画像表示パネルを形成することにより、フィールドシーケンシャル方式と同時発光方式の２つの方式が切り替え可能なディスプレイ装置を実現することができる。
【００２０】
本発明のさらに別の態様も、画像表示装置である。この画像表示装置は、画像表示パネルと、画像表示パネルのバックライトとして用いられる上述の発光装置と、を備える。
この態様によれば、第１モードと第２モードを切り替えて発光モジュールを制御することができる。
【００２１】
なお、以上の構成要素の任意の組合せや本発明の構成要素や表現を方法、装置、システムなどの間で相互に置換したものもまた、本発明の態様として有効である。
【発明の効果】
【００２２】
本発明に係る発光制御装置により、複数の発光素子を含む発光モジュールを異なる２つの発光方式で制御することができる。
【発明を実施するための最良の形態】
【００２３】
はじめに、本発明の実施の形態に係る発光装置の概要について説明する。この発光装置は、携帯電話端末などに搭載され、液晶パネルのバックライトや、カメラのフラッシュ光源として使用される。この発光装置は、発光素子としてＲＧＢ３色のＬＥＤを備え、電池から出力される電池電圧からＬＥＤを駆動するために必要な駆動電圧を生成し、各ＬＥＤに流れる電流を制御して所望の輝度で発光させる。発光装置は、バックライトやフラッシュ光源として動作する際、フィールドシーケンシャル方式で各ＬＥＤを発光させる。
【００２４】
以下、本実施の形態に係る電源装置の構成について説明する。
図１は、本実施の形態に係る発光装置１０００の構成を示す回路図である。この発光装置１０００は、発光モジュール３００、駆動電圧生成部２００、発光制御装置１００を含む。
【００２５】
発光モジュール３００は、第１発光ユニット３０ａ、第２発光ユニット３０ｂ、第３発光ユニット３０ｃの３つの発光ユニットを含む。各発光ユニット３０ａ〜３０ｃはそれぞれ、ＲＧＢ３色のＬＥＤ３１Ｒ〜３１Ｂ、３２Ｒ〜３２Ｂ、３３Ｒ〜３３Ｂを含む。同一の発光ユニットに含まれるＬＥＤは、本発光装置１０００が搭載されるセット上において、互いに近接して配置される。以下、同一の構成要素を区別するために付したａ〜ｃ、Ｒ〜Ｂの添え字は、特に各構成要素を区別する必要のないときは省略する。
【００２６】
本実施の形態に係る発光装置１０００において、ひとつの発光ユニット３０に含まれる３色のＬＥＤを時分割的に発光させ、かつ異なる発光ユニット３０に含まれる同色のＬＥＤが同じタイミングで発光するよう制御する状態を第１モードとする。また、それぞれが異なる発光ユニット３０に含まれるＲＧＢ３色のＬＥＤを同時に発光させ、異なる発光ユニット３０に含まれる３色のＬＥＤを混色する状態を第２モードという。
【００２７】
駆動電圧生成部２００は、発光モジュール３００に駆動電圧Ｖｏｕｔを供給する。この駆動電圧生成部２００は、チャージポンプ回路やスイッチングレギュレータなどであって、図示しないバッテリから供給される電池電圧を昇圧し、駆動電圧Ｖｏｕｔを生成する。駆動電圧Ｖｏｕｔは、発光モジュール３００に含まれる各ＬＥＤのアノード端子に印加される。
【００２８】
発光制御装置１００は、発光モジュール３００の発光状態を制御する。この発光制御装置１００は、駆動電圧生成部２００と同一の、あるいは別のＬＳＩとして集積化される。発光制御装置１００は、第１発光駆動部１０ａ、第２発光駆動部１０ｂ、第３発光駆動部１０ｃ、発光制御部２０を含む。
【００２９】
第１発光駆動部１０ａ〜第３発光駆動部１０ｃはそれぞれ、３つの発光ユニット３０ａ〜３０ｃごとに設けられている。各発光駆動部１０ａ〜１０ｃは、発光ユニット３０ａ〜３０ｃに含まれるＲＧＢ３色のＬＥＤのいずれかひとつを択一的に所望の輝度で発光させる。
【００３０】
第１発光駆動部１０ａは、スイッチＳＷ１Ｒ〜ＳＷ１Ｂ、定電流回路１２ａを含む。定電流回路１２ａは、スイッチＳＷ１Ｒ〜ＳＷ１Ｂのいずれかがオンすることにより、ＬＥＤ３１Ｒ〜３１Ｂのいずれかのカソード端子と接続される。このとき、カソード端子が定電流回路１２ａに接続されたＬＥＤには、定電流回路１２ａにより生成される定電流Ｉｃ１が流れ、所定の輝度で発光する。各スイッチＳＷ１Ｒ〜ＳＷ１Ｂのオン、オフ状態の切り替えは、後述の発光制御部２０から出力される制御信号ＣＮＴ１によって制御される。
【００３１】
定電流回路１２ａにより生成される定電流Ｉｃ１は、ＬＥＤ３１Ｒ〜３１Ｂの発光輝度に応じて切り替えられる。定電流Ｉｃ１は、スイッチＳＷ１Ｒをオンし、ＬＥＤ３１Ｒを発光させる際には定電流Ｉｃ１Ｒに、スイッチＳＷ１Ｇをオンし、ＬＥＤ３１Ｇを発光させる際には定電流Ｉｃ１Ｇに、スイッチＳＷ１Ｂをオンし、ＬＥＤ３１Ｂを発光させる際には、定電流Ｉｃ１Ｂに設定される。定電流回路１２ａにより生成される電流Ｉｃ１の値は、スイッチＳＷ１Ｒ〜ＳＷ１Ｂの切り替えと同期して制御信号ＣＮＴ１によって切り替えられる。
【００３２】
第２発光駆動部１０ｂ、第３発光駆動部１０ｃも、第１発光駆動部１０ａと同様に構成され、第１発光駆動部１０ａと同様の機能を有する。
【００３３】
発光制御部２０は、第１発光駆動部１０ａ〜第３発光駆動部１０ｃそれぞれに対し、第１発光ユニット３０ａ〜第３発光ユニット３０ｃに含まれるいずれかのＬＥＤの発光状態を指示する。「発光状態」とは、ＬＥＤを、どれくらいの発光輝度で発光させるかを意味する。発光制御部２０はそのために、制御信号ＣＮＴ１〜ＣＮＴ３を生成し、第１発光駆動部１０ａ〜第３発光駆動部１０ｃへと出力する。
【００３４】
発光制御部２０は、第１発光パターン生成部２２、第２発光パターン生成部２４、セレクタ２６、発光パターン制御部２８を含む。
第１発光パターン生成部２２は、第１モードにおけるＬＥＤの発光状態を規定する第１発光パターンＰＴＮ１を生成する。また、第２発光パターン生成部２４は、第２モードにおけるＬＥＤの発光状態を規定する第２発光パターンＰＴＮ２を生成する。第１発光パターン生成部２２、第２発光パターン生成部２４により生成される第１発光パターンＰＴＮ１、第２発光パターンＰＴＮ２は、セレクタ２６に入力される。
【００３５】
セレクタ２６は、第１モードにおいては第１発光パターンＰＴＮ１を、第２モードにおいては、第２発光パターンＰＴＮ２を選択し、発光パターン制御部２８に出力する。
発光パターン制御部２８は、セレクタ２６から出力される第１発光パターンＰＴＮ１、第２発光パターンＰＴＮ２のいずれかにもとづいて制御信号ＣＮＴ１〜ＣＮＴ３を生成し、各発光駆動部１０を制御する。制御信号ＣＮＴ１〜ＣＮＴ３は、各発光駆動部１０に含まれる各スイッチＳＷのオン、オフ状態および定電流回路１２ａ〜１２ｃにより生成される電流値を指定する信号である。
【００３６】
以上のように構成された発光装置１０００の動作について説明する。
発光装置１０００は、携帯電話端末などのセットに搭載され、液晶パネルのバックライトとして使用される実使用時においては第１モードで動作する。このとき、セレクタ２６には、外部の制御回路から第１モードである旨が通知され、第１発光パターンＰＴＮ１が選択される。
【００３７】
第１モードにおいて、発光モジュール３００に含まれるＬＥＤは、第１状態、第２状態、第３状態を７０Ｈｚ周期で時分割的に繰り返して発光する。表１は、第１発光パターンＰＴＮ１により指定される各ＬＥＤの発光状態を示す。表中、Ｒ、Ｇ、Ｂは、その色のＬＥＤが発光している状態を示す。
【表１】
2006278252.tif 000003
【００３８】
第１状態において第１発光ユニット３０ａ〜第３発光ユニット３０ｃは、それぞれ赤色のＬＥＤ３１Ｒ、３２Ｒ、３３Ｒが点灯した状態となる。次に第２状態に遷移し、第１発光ユニット３０ａ〜第３発光ユニット３０ｃは、すべて緑色のＬＥＤ３１Ｇ〜３３Ｇが発光した状態となる。次に第３状態に遷移すると、第１発光ユニット３０ａ〜第３発光ユニット３０ｃは、すべてＬＥＤ３１Ｂ〜３３Ｂが発光した状態となる。第３状態の後、第１状態に戻る。
【００３９】
第１発光ユニット３０ａに着目すると、第１、第２、第３状態と３つの状態を繰り返すことにより、内部のＲＧＢ３色のＬＥＤ３１Ｒ、３１Ｇ、３１Ｂは、時分割的に交互に発光するため、同一発光ユニット内のＬＥＤが混色され所望の色で発光させることができる。第２発光ユニット３０ｂ、第３発光ユニット３０ｃについても同様である。
【００４０】
図２は、第１モードにおける各スイッチおよび定電流Ｉｃの状態遷移を示すタイムチャートである。同図において、ハイレベルがスイッチのオン状態に、ローレベルがオフ状態に対応する。
第１状態Ｔ１においては、スイッチＳＷ１Ｒ、ＳＷ２Ｒ、ＳＷ３Ｒが同時にオンする。その結果、第１発光ユニット３０ａ〜第３発光ユニット３０ｃに含まれる３つのＬＥＤ３１Ｒ、３２Ｒ、３３Ｒにはそれぞれ、定電流Ｉｃ１Ｒ、Ｉｃ２Ｒ、Ｉｃ３Ｒが流れて発光状態となる。
第２状態Ｔ２になると、スイッチＳＷ１Ｒ、ＳＷ２Ｒ、ＳＷ３Ｒはオフとなり、スイッチＳＷ１Ｇ、ＳＷ２Ｇ、ＳＷ３Ｇがオンとなる。このとき、ＬＥＤ３１Ｇ、３２Ｇ、３３Ｇにはそれぞれ、定電流Ｉｃ１Ｇ、Ｉｃ２Ｇ、Ｉｃ３Ｇが流れて発光状態となり、他のＬＥＤは消灯状態となる。
第３状態Ｔ３では、スイッチＳＷ１Ｂ、ＳＷ２Ｂ、ＳＷ３Ｂがオンとなり、定電流Ｉｃ１Ｂ、Ｉｃ２Ｂ、Ｉｃ３Ｂが流れ発光状態となる。
【００４１】
このようにして、第１モードにおいて本実施の形態に係る発光装置１０００は、ひとつの発光ユニットに含まれるＲＧＢ３色のＬＥＤを時分割的に発光させ、かつ異なる発光ユニットに含まれる３色のＬＥＤが同じタイミングで発光するよう制御する。その結果、同一の発光ユニットに含まれるＬＥＤが混色され、所望の白色光を得ることができる。
【００４２】
次に、発光装置１０００が携帯電話端末などのセットに搭載される前段階において、ホワイトバランス調整などにより発光モジュール３００を構成するＬＥＤ３１〜３３の発光輝度を調節する際の動作について説明する。この場合、発光装置１０００は第２モードで動作する。このとき、セレクタ２６に第２モードである旨が通知され、第２発光パターンＰＴＮ２が選択される。
【００４３】
表２は、第２発光パターンＰＴＮ２により指示される各ＬＥＤの発光状態を示す。
【表２】
2006278252.tif 000004
【００４４】
第２モードにおける第１状態では、第１発光ユニット３０ａ〜第３発光ユニット３０ｃは、それぞれＲ、Ｇ、Ｂ３色の異なるＬＥＤが点灯した状態となり、同時に点灯したＬＥＤを混色することにより所望の色で発光させる。
次に第２状態においては、第１発光ユニット３０ａ〜第３発光ユニット３０ｃは、それぞれ、Ｇ、Ｂ、Ｒ３色のＬＥＤが発光状態となる。第３状態においては、第１発光ユニット３０ａ〜第３発光ユニット３０ｃは、Ｂ、Ｒ、Ｇ３色のＬＥＤが発光状態となる。
【００４５】
ホワイトバランスの調整時においては、まず発光装置１０００を第１状態に設定し、ＬＥＤ３１Ｒ、ＬＥＤ３２Ｇ、ＬＥＤ３３Ｂを同時に発光させる。そして、これらのＬＥＤを混色して得られる光を測定し、所定の条件を満たすように、各発光駆動部１０ａ〜１０ｃに含まれる定電流回路１２ａ〜１２ｃにより生成される定電流値を調節する。このようにして調整された定電流値をＩｃ１Ｒ、Ｉｃ２Ｇ、Ｉｃ３Ｂとする。
【００４６】
次に、発光装置１０００を第２モードの第２状態とし、ＬＥＤ３１Ｇ、３２Ｂ、３３Ｒを同時に発光させ、それらを混色して得られる光を測定し、定電流回路１２ａ〜１２ｃにより生成される定電流値を調節する。こうして得られた定電流値をそれぞれ、Ｉｃ１Ｇ、Ｉｃ２Ｂ、Ｉｃ３Ｒとする。
続いて発光装置１０００を第２モードの第３状態とし、ＬＥＤ３１Ｂ、３２Ｒ、３３Ｇを同時に発光させ、それらを混色して得られる光を測定し、定電流回路１２ａ〜１２ｃにより生成される定電流値を調節する。こうして得られた定電流値をそれぞれ、Ｉｃ１Ｇ、Ｉｃ２Ｂ、Ｉｃ３Ｒとする。
こうして得られた各電流値Ｉｃ１〜Ｉｃ３は発光パターン制御部２８に含まれるレジスタに格納される。
【００４７】
このように、第１状態、第２状態、第３状態において一通り定電流値を調節することによってすべてのＬＥＤについてホワイトバランスの調節を行うことができる。ホワイトバランスの調整が完了後、発光装置１０００はセットに搭載され、調節された定電流値Ｉｃ１〜Ｉｃ３にもとづいて各ＬＥＤ３１〜３３を駆動する。
【００４８】
本実施の形態に係る発光装置１０００によれば、セットに搭載された状態において、発光モジュール３００を発光させる実使用時と、ホワイトバランス調整など発光制御装置１００の調整を行う場合とで、第１、第２モードを切り替えて使用することができる。
【００４９】
上記実施の形態は例示であり、それらの各構成要素や各処理プロセスの組合せにいろいろな変形例が可能なこと、またそうした変形例も本発明の範囲にあることは当業者に理解されるところである。
【００５０】
実施の形態において、発光駆動部１０ａ〜１０ｃは、ＬＥＤの輝度を定電流回路１２ａ〜１２ｃの電流値によって調節する場合について説明したがこれには限定されない。たとえば、各スイッチＳＷ１〜ＳＷ３がオン状態となる時間をパルス幅変調して変化させることにより、ＬＥＤの発光輝度を調節してもよい。この場合、ホワイトバランスの調整時には、各スイッチＳＷ１〜ＳＷ３のオンデューティが第１、第２、第３状態のそれぞれについて調節されることになる。
さらに、定電流値Ｉｃ１〜Ｉｃ３と、各スイッチＳＷ１〜ＳＷ３のオン時間の両方によって発光輝度を調節してもよい。
【００５１】
また、実施の形態においては、セットに搭載される実使用時に第１モードとし、ホワイトバランスの調整時に第２モードとする場合について説明したがこれには限定されず、逆に、実使用時に第２モードで使用し、ホワイトバランスの調整時に第１モードで使用してもよい。さらに必ずしもモードを切り替える必要はなく、検査時と実使用時で同一のモードで発光モジュールを制御してもよい。また、第１、第２モードの他に、さらに別の発光モードや画像表示モードを設けてもよく、これらのモードを必要に応じて切り替えることにより、より自由度の高い発光制御を行うことができる。
【００５２】
発光装置１０００を構成する発光制御装置１００、駆動電圧生成部２００、発光モジュール３００は別々のチップとして構成される場合が多い。セットメーカは、駆動効率やその他の周辺回路との関係から、フィールドシーケンシャル方式を採用する場合もあれば、同時発光方式を採用する場合もある。このとき、発光制御装置１００を、実施の形態のように第１、第２モードを切り替え可能に構成することにより、いずれの方式を採用したセットも搭載することができる。
【００５３】
実施の形態においては、発光モジュール３００が単一で使用され、９個のＬＥＤを駆動する場合について説明したが、これには限定されない。たとえば、ＬＥＤや有機ＥＬ素子がマトリクス状に配置された発光パネルを駆動する場合にも本技術は適用することができる。
また、発光素子をマトリクス状に配置した発光パネルとした場合、液晶のバックライトとしてではなく文字や画像を表示する画像表示パネルとして用いることもできる。この際、発光パネルの各画素を発光ユニットに対応させ、隣接する３つの発光ユニットを１つの発光モジュールとすることにより、フィールドシーケンシャル方式と同時発光方式を切り替えて駆動することができる。
【００５４】
実施の形態では、発光素子の発光輝度を制御する際に、各発光素子に流れる電流を制御する電流駆動について説明したが、各発光素子に印加する電圧を制御する電圧駆動を行ってもよい。この場合、印加する電圧の大きさ、印加する時間によって発光輝度を調節すればよい。
【００５５】
本実施の形態において、発光制御装置１００や発光装置１０００を構成するブロックはすべて一体集積化されていてもよく、あるいは複数の集積回路に分けて構成されていてもよい。さらに、その一部がディスクリート部品で構成されていてもよい。どの部分を集積化するかは、コストや占有面積などによって決めればよい。
また、発光素子としてＲ、Ｇ、Ｂの３原色を備える場合について説明したが、他の色を追加したり、あるいはひとつの色を複数の発光素子で構成してもよい。
【図面の簡単な説明】
【００５６】
【図１】実施の形態に係る発光装置の構成を示す回路図である。
【図２】第１モードにおける各スイッチおよび定電流の状態遷移を示すタイムチャートである。
【符号の説明】
【００５７】
３０  発光ユニット、  ３１  ＬＥＤ、  ３２  ＬＥＤ、  ３３  ＬＥＤ、  １００  発光制御装置、  ２００  駆動電圧生成部、  ３００  発光モジュール、  １０ａ  第１発光駆動部、  １０ｂ  第２発光駆動部、  １０ｃ  第３発光駆動部、  １２  定電流回路、  ２０  発光制御部、  ２２  第１発光パターン生成部、  ２４  第２発光パターン生成部、  ２６  セレクタ、  ２８  発光パターン制御部、  ＳＷ１  スイッチ、  ＳＷ２  スイッチ、  ＳＷ３  スイッチ、  １０００  発光装置。
【図１】
2006278252.tif 000005
【図２】
2006278252.tif 000006